(57)【要約】【課題】空気の流通性を高めるとともに高さ方向の大きさを効果的に小さくできる流路切換弁を提供する。【解決手段】流路切換弁１は、ポテンショベース８２のセンサー支持部８４が、弁軸４０に取り付けられる大径ギヤ６７より小さい径の円板形状に形成されており、ポテンショメーター８５が取り付けられるとともに大径ギヤ６７と重ねて配置される。ギヤケース部５２の上壁部５４に設けられる通気部７０は、通気孔７１ａが設けられた平板部７１と、通気孔７１ａに連なり上方に延びる通気管７２と、通気管７２に被せられるキャップ形状のフィルタ部材７３と、を有している。そして、通気部７０の通気孔７１ａは、中間ギヤ体６３のウォームギヤ部６６に対向するように配置されている。【選択図】図４
2020067158.tif 000002
【特許請求の範囲】
【請求項１】
弁本体と、前記弁本体に回転可能に収容される弁体と、前記弁体に取り付けられる弁軸と、前記弁軸を介して前記弁体を回転駆動する駆動部と、前記弁体の回転位置を検出する回転位置検出部と、前記弁本体に取り付けられ、前記駆動部および前記回転位置検出部を収容するケースと、を有する流路切換弁であって、
前記駆動部は、モーターと、ウォームギヤと、中間ギヤ体と、大径ギヤと、を有し、
前記ケースは、モーターケース部と、ギヤケース部と、を有し、
前記ギヤケース部は、前記モーターケース部が一体に設けられた底壁部と、前記ギヤケース部の内外で空気を流通させるための通気部が設けられた上壁部と、前記底壁部と前記上壁部とを連結する周壁部と、を有し、
前記モーターは、前記底壁部に設けられた貫通孔から前記ギヤケース部内に駆動軸が突き出るように前記モーターケース部内に配置され、
前記ウォームギヤは、前記駆動軸に取り付けられ、
前記中間ギヤ体は、前記ギヤケース部内に配置され、軸部と、前記軸部の一端部に設けられ、前記ウォームギヤと噛み合う小径ギヤ部と、前記軸部の他端部に設けられ、前記大径ギヤと噛み合う第２ウォームギヤ部と、を有し、
前記大径ギヤは、前記ギヤケース部内に配置されて前記弁軸に同軸に取り付けられ、
前記回転位置検出部は、前記弁軸の回転角を検出する回転角センサーと、前記回転角センサーを支持するベース体と、を有し、
前記通気部は、前記第２ウォームギヤ部に対向するように配置されていることを特徴とする流路切換弁。
【請求項２】
前記通気部は、通気孔が設けられた平板部と、前記通気孔に連なり上方に延びる通気管と、前記通気管に被せられるキャップ形状のフィルタ部材と、を有する、請求項１に記載の流路切換弁。
【請求項３】
前記ベース体は、前記ギヤケース部に取り付けられるベース本体部と、前記弁軸の回転角を検出する前記回転角センサーが支持されたセンサー支持部と、を有し、
前記センサー支持部は、前記ウォームギヤ部側の縁部に切り欠き部が設けられている、請求項１または請求項２に記載の流路切換弁。
【発明の詳細な説明】
【技術分野】
【０００１】
本発明は、流路切換弁に関し、特に、弁体を駆動する駆動部を収容するケースを有する流路切換弁に関する。
【背景技術】
【０００２】
従来の流路切換弁の一例が特許文献１に開示されている。この流路切換弁は、弁室を有する弁本体と、弁室内に配置されたボール状の弁体と、弁体に連結された弁軸と、弁軸を介して弁体を回転駆動するモーター、駆動ギヤ等からなる回転駆動部と、を有している。
【０００３】
このような流路切換弁は、ギヤケース内の結露を防ぐため、ギヤケースの内外で空気を流通させるための通気孔とこの通気孔に連なり上方に延びる通気管とが設けられている。そして、この通気管には、空気の流通を許容しかつ液体の流通を阻止するキャップ形状のフィルタ部材が被せられている。
【先行技術文献】
【特許文献】
【０００４】
【特許文献１】特開２０１８−１１５６９０号公報
【発明の概要】
【発明が解決しようとする課題】
【０００５】
しかしながら、ギヤケースに設けられる通気管およびフィルタ部材は所定高さを有するので、流路切換弁を高さ方向に大きくしてしまうものであった。特に、弁体の回転位置を検出する回転位置検出部を有する流路切換弁では、回転位置検出部が回転駆動部の上方に重ねて配置されることがある。このような流路切換弁において、通気孔が回転位置検出部と対向するように配置されると、流路切換弁を高さ方向にさらに大きくしてしまう。そのため、流路切換弁を小型化する上での障害となっていた。
【０００６】
そこで、本発明は、空気の流通性を高めるとともに高さ方向の大きさを効果的に小さくできる流路切換弁を提供することを目的とする。
【課題を解決するための手段】
【０００７】
上記目的を達成するために、本発明に係る流路切換弁は、弁本体と、前記弁本体に回転可能に収容される弁体と、前記弁体に取り付けられる弁軸と、前記弁軸を介して前記弁体を回転駆動する駆動部と、前記弁体の回転位置を検出する回転位置検出部と、前記弁本体に取り付けられ、前記駆動部および前記回転位置検出部を収容するケースと、を有する流路切換弁であって、前記駆動部は、モーターと、ウォームギヤと、中間ギヤ体と、大径ギヤと、を有し、前記ケースは、モーターケース部と、ギヤケース部と、を有し、前記ギヤケース部は、前記モーターケース部が一体に設けられた底壁部と、前記ギヤケース部の内外で空気を流通させるための通気部が設けられた上壁部と、前記底壁部と前記上壁部とを連結する周壁部と、を有し、前記モーターは、前記底壁部に設けられた貫通孔から前記ギヤケース部内に駆動軸が突き出るように前記モーターケース部内に配置され、前記ウォームギヤは、前記駆動軸に取り付けられ、前記中間ギヤ体は、前記ギヤケース部内に配置され、軸部と、前記軸部の一端部に設けられ、前記ウォームギヤと噛み合う小径ギヤ部と、前記軸部の他端部に設けられ、前記大径ギヤと噛み合う第２ウォームギヤ部と、を有し、前記大径ギヤは、前記ギヤケース部内に配置されて前記弁軸に同軸に取り付けられ、前記回転位置検出部は、前記弁軸の回転角を検出する回転角センサーと、前記回転角センサーを支持するベース体と、を有し、前記通気部は、前記中間ギヤ体の前記第２ウォームギヤ部に対向するように配置されていることを特徴とする。
【０００８】
本発明において、前記通気部は、通気孔が設けられた平板部と、前記通気孔に連なり上方に延びる通気管と、前記通気管に被せられるキャップ形状のフィルタ部材と、を有することが好ましい。
【０００９】
本発明において、前記ベース体は、前記ギヤケース部に取り付けられるベース本体部と、前記弁軸の回転角を検出する前記回転角センサーが支持されたセンサー支持部と、を有し、前記センサー支持部は、前記ウォームギヤ部側の縁部に切り欠き部が設けられていることが好ましい。
【発明の効果】
【００１０】
本発明によれば、ギヤケース部の上壁部に設けられた通気部が、中間ギヤ体の第２ウォームギヤ部に対向するように配置されている。このようにしたことから、大径ギヤと噛み合う中間ギヤ体のウォームギヤ部が、回転位置検出部と重なることを回避することができる。そのため、回転位置検出部を避けて通気部を第２ウォームギヤ部と対向するように配置することができるので、流路切換弁の高さ方向の大きさを効果的に小さくすることができる。また、第２ウォームギヤ部の回転により通気部の近傍で空気が流動されるので、ギヤケース部の内外での空気の流通性を効果的に高めることができる。
【図面の簡単な説明】
【００１１】
【図１】本発明の一実施形態に係る流路切換弁の斜視図である。
【図２】図１の流路切換弁の縦断面図である。
【図３】図２のＡ−Ａ線に沿う断面図である。
【図４】図１の流路切換弁においてギヤケース部の上壁部を外した状態を示す平面図である。
【図５】図１の流路切換弁においてギヤケース部の上壁部および回転位置検出部を外した状態を示す平面図である。
【図６】図４のＢ−Ｂ線に沿う断面図である。
【発明を実施するための形態】
【００１２】
以下、本発明の一実施形態に係る流路切換弁について、図１〜図６を参照して説明する。
【００１３】
図１は、本発明の一実施形態に係る流路切換弁の斜視図である。図２は、図１の流路切換弁におけるボール弁体の回転軸線に沿う断面図（縦断面図）である。図３は、図２のＡ−Ａ線に沿う断面図である。図４は、図１の流路切換弁においてギヤケース部の上壁部を外した状態を示す平面図であり、図５は、回転位置検出部をさらに外した状態を示す平面図である。図６は、図４のＢ−Ｂ線に沿う断面図である。以下の説明において、「上下左右」は各図において各部材の相対的な位置関係を示すために用いており、絶対的な位置関係を示すものではない。各図において、Ｘ軸方向を左右方向、Ｙ軸方向を手前−奥方向（正面−背面方向）、Ｚ軸方向を上下方向としている。Ｘ軸、Ｙ軸、Ｚ軸は互いに直交している。
【００１４】
各図に示すように、本実施形態の流路切換弁１は、弁本体１０と、弁体としてのボール弁体２０と、シート部材３０、３０と、封止部材３１、３１と、弁軸４０と、を有している。また、流路切換弁１は、ケース５０と、駆動部６０と、通気部７０と、回転位置検出部８０と、を有している。
【００１５】
弁本体１０は、例えば、ポリフェニレンサルファイド（ＰＰＳ）などの合成樹脂を材料として、上端が開口した略立方体箱状に形成されている。
【００１６】
弁本体１０の左側壁部１０ａには、略Ｌ字状の第１流路１１が設けられている。弁本体１０の正面壁部１０ｂには、直線状の第２流路１２が設けられている。弁本体１０の右側壁部１０ｃには、第１流路１１と面対称となる略Ｌ字状の第３流路１３が設けられている。第１流路１１の開口１１ａと、第２流路１２の開口１２ａと、第３流路１３の開口１３ａとは、同一方向（正面方向）に向けられている。第１流路１１と第２流路１２と第３流路１３とは、弁本体１０内に設けられた弁室１４に通じている。弁室１４に通じる流路として、２つまたは４つ以上の複数の流路が設けられていてもよい。
【００１７】
ボール弁体２０は、例えば、金属や合成樹脂などを材料として、中空ボール状（球体状）に形成されている。ボール弁体２０は、シート部材３０、３０に回転可能に支持されて弁室１４に収容されている。ボール弁体２０は、図３に示す回転位置において、左側に向けて開口された第１開口２１と、正面に向けて開口された第２開口２２と、右側に向けて開口された第３開口２３と、が設けられている。ボール弁体２０の内部には、第１開口２１と第２開口２２と第３開口２３とを互いにつなげる平面視で略Ｔ字状の切換流路２５が設けられている。なお、ボール弁体２０は、例えば、第１開口２１および第２開口２２のみ有し、図３に示す回転位置において、第１開口２１と第２開口２２とを互いにつなげる平面視で略Ｌ字状の切換流路２５が設けられていてもよい。また、本実施形態では弁体としてボール弁体２０を用いているが、柱状の弁体を用いてもよい。
【００１８】
切換流路２５は、回転位置に応じて第１流路１１と第２流路１２と第３流路１３との接続を切り換えるように構成されている。具体的には、切換流路２５は、ボール弁体２０が図３に示す回転位置にあるとき、第１流路１１と第２流路１２と第３流路１３とを接続する。切換流路２５は、ボール弁体２０が図３に示す回転位置から平面視で時計回りに９０度回転された回転位置にあるとき、第１流路１１と第２流路１２とを接続する。切換流路２５は、ボール弁体２０が図３に示す回転位置から平面視で反時計回りに９０度回転された回転位置にあるとき、第２流路１２と第３流路１３とを接続する。
【００１９】
ボール弁体２０の上部には、後述する弁軸４０が挿入される弁軸挿入孔２４が設けられている。弁軸挿入孔２４は、弁軸４０が挿入されることにより当該弁軸４０の回転に伴ってボール弁体２０が回転軸線である軸線Ｌ周りに回転するように形成されている。本実施形態では、弁軸挿入孔２４は正六角形状に形成されている。
【００２０】
シート部材３０、３０は、例えば、ポリテトラフルオロエチレン（ＰＴＦＥ）などの合成樹脂を材料として、円環状に形成されている。シート部材３０、３０は、対をなしており、弁室１４に左右方向に互いに間隔をあけて対向して収容されている。シート部材３０、３０は、弁室１４内においてボール弁体２０を間に挟んで回転可能に支持している。
【００２１】
封止部材３１、３１は、例えば、ゴム材などの弾性材料からなるＯリングであり、一方のシート部材３０と弁本体１０の左側壁部１０ａとの間、および、他方のシート部材３０と弁本体１０の右側壁部１０ｃとの間に圧縮状態となるように挟まれて配置されている。本実施形態において、封止部材３１は、シート部材３０に設けられた環状溝３０ａに装着されており、一部が環状溝３０ａから突出している。封止部材３１、３１は、シート部材３０、３０とともに弁本体１０とボール弁体２０との間をシール（封止）している。環状溝３０ａをシート部材３０に設ける構成としたことで、弁本体１０側の成形を容易にできるとともに、環状溝３０ａに封止部材３１を組み付けた状態で組立てることができるため組立工数を低減できる。なお、封止部材３１、３１を省略して、ゴム材などの弾性材料からなる、封止部材の機能を兼ね備えたシート部材３０、３０を採用した構成としてもよい。
【００２２】
弁軸４０は、合成樹脂製であり、全体的に直線状に延びる柱形状に形成されており、円柱部４１と、円柱部４１の下端に同軸に連なる角柱部４２と、を有している。弁軸４０は軸線Ｌに沿うように配置される。
【００２３】
円柱部４１の下端部には、全周にわたって溝が設けられており、この溝にゴム材などを材料として環状に形成されたＯリング４４がはめ込まれている。円柱部４１の上端部には、駆動部６０の大径ギヤ６７が同軸に取り付けられている。また、円柱部４１における上方を向く端面４１ａの中央には軸線Ｌに沿う略円柱状の取付穴４５が穿たれて設けられている。取付穴４５には、回転位置検出部８０のポテンショ軸８１が圧入により取り付けられる。
【００２４】
角柱部４２は、軸線Ｌと直交する断面の形状（横断面形状）が弁軸挿入孔２４と同一の正六角形状となる柱状に形成されている。角柱部４２は、ボール弁体２０の弁軸挿入孔２４に挿入されることにより、軸線Ｌに沿うように当該ボール弁体２０に取り付けられる。角柱部４２の横断面形状は弁軸挿入孔２４と同一の正六角形状に形成されているので、弁軸挿入孔２４と角柱部４２とが嵌まり合い、弁軸４０の回転に伴ってボール弁体２０が軸線Ｌ周りに回転される。角柱部４２は、正六角形状以外にも、例えば、三角形柱状や四角形柱状などの多角形柱状や、円柱の側面の一部を平面にした断面Ｄ字状の柱状でもよい。この場合、弁軸挿入孔２４も、角柱部４２の横断面形状と同一の形状に形成される。
【００２５】
ケース５０は、例えば、ポリフェニレンサルファイド（ＰＰＳ）などの合成樹脂を材料として構成されており、弁本体１０に取り付けられて駆動部６０を収容する。ケース５０は、モーターケース部５１と、ギヤケース部５２と、を有している。
【００２６】
モーターケース部５１は、有底円筒状に形成されており、駆動部６０のモーター６１を収容する。
【００２７】
ギヤケース部５２は、モーターケース部５１が一体に設けられた平板状の底壁部５３と、通気部７０が設けられた上壁部５４と、底壁部５３と上壁部５４とを連結する周壁部５５と、を有している。本実施形態において、底壁部５３と周壁部５５とは一体に設けられており、上壁部５４は図示しないねじ止め構造やスナップフィット構造などにより周壁部５５の上端に取り付けられている。ギヤケース部５２は、駆動部６０のウォームギヤ６２、中間ギヤ体６３および大径ギヤ６７と、回転位置検出部８０と、を収容する。
【００２８】
ギヤケース部５２は、底壁部５３に円筒状の軸受部５６を一体に有している。軸受部５６は、弁軸４０の円柱部４１が挿入され、円柱部４１を回転可能に支持する。また、ギヤケース部５２は、底壁部５３から下方に突出して設けられた略四角筒状の内側周壁部５７を有している。内側周壁部５７は、弁本体１０の内側に挿入され、超音波溶着などにより弁本体１０に接合されている。なお、ギヤケース部５２は、ねじ止め構造などにより弁本体１０に取り付けられていてもよい。
【００２９】
駆動部６０は、弁軸４０を介してボール弁体２０を回転駆動する。駆動部６０は、モーター６１と、減速機を構成するウォームギヤ６２（第１ウォームギヤ）、中間ギヤ体６３および大径ギヤ６７と、を有している。
【００３０】
モーター６１は、ギヤケース部５２の底壁部５３に設けられた貫通孔５３ａからギヤケース部５２内に駆動軸６１ａが突き出るようにモーターケース部５１内に配置されている。駆動軸６１ａの先端には、ウォームギヤ６２が取り付けられる。
【００３１】
中間ギヤ体６３は、ギヤケース部５２内に配置されている。中間ギヤ体６３は、軸部６４と、軸部６４の一端部６４ａに設けられ、ウォームギヤ６２と噛み合う小径ギヤ部６５と、軸部６４の他端部６４ｂに設けられ、大径ギヤ６７と噛み合うウォームギヤ部６６（第２ウォームギヤ部）と、を有している。
【００３２】
本実施形態においては、中間ギヤ体６３は、平面視（図４参照）で、ウォームギヤ６２の回転軸（駆動軸６１ａ）と大径ギヤ６７の回転軸（軸線Ｌ）とを結んだ仮想線に交わらないように配置されている。すなわち、中間ギヤ体６３はウォームギヤ６２と大径ギヤ６７との間に配置されない。この構造により、中間ギヤ体６３の組み付けや取り外しが容易になる。例えば、ポテンショベース８２を組み付けた後に、中間ギヤ体６３の両端部をギヤケース部５２の凹部５８、５８に配置し、凹部５８、５８から両端部が脱落しないように上壁部５４に形成した凸部５９、５９で回転自在に支持することができる。
【００３３】
大径ギヤ６７は、ギヤケース部５２内に配置されている。大径ギヤ６７は、中央に設けられた貫通孔に弁軸４０の円柱部４１が圧入により取り付けられている。
【００３４】
駆動部６０は、モーター６１の駆動軸６１ａの回転力を、ウォームギヤ６２、中間ギヤ体６３および大径ギヤ６７を通じて弁軸４０に伝達して弁軸４０を軸線Ｌ周りに回転させる。これにより、ボール弁体２０を所望の回転位置に位置づける。
【００３５】
通気部７０は、ギヤケース部５２の内外で空気を流通させるための機構である。通気部７０は、平板部７１と、通気管７２と、フィルタ部材７３と、を有している。平板部７１は、上壁部５４の一部であり、通気孔７１ａが貫通して設けられている。通気管７２は、円筒形状に形成されて平板部７１における通気孔７１ａの周縁部から上方に延びるように設けられている。通気管７２は、その内側空間が通気孔７１ａと連なっている。フィルタ部材７３は、キャップ形状に形成されており、空気の流通を許容しかつ液体の流通を阻止する機能を有する。
【００３６】
通気部７０の通気孔７１ａは、中間ギヤ体６３のウォームギヤ部６６に対向するように配置されている。これにより、ウォームギヤ部６６の回転により通気孔７１ａの近傍で空気を積極的に流動させることができる。
【００３７】
回転位置検出部８０は、回転角出力軸であるポテンショ軸８１と、ベース体であるポテンショベース８２と、回転角センサーであるポテンショメーター８５と、を有している。
【００３８】
ポテンショ軸８１は、例えば、ステンレスや真ちゅうなどの金属製またはポリフェニレンサルファイド（ＰＰＳ）などの合成樹脂製であり、弁軸４０と別体に設けられている。ポテンショ軸８１は、弁軸４０の取付穴４５に圧入されることにより弁軸４０に同軸に固定して取り付けられる。ポテンショ軸８１は、上端部に設けられたＤカット形状の嵌合軸部８１ａがポテンショメーター８５のローター８６と嵌め合わされる。なお、嵌合軸部８１ａが弁軸４０の端面４１ａに一体に設けられていてもよい。
【００３９】
ポテンショベース８２は、合成樹脂製であり、ベース本体部８３と、センサー支持部８４と、を一体に有している。ベース本体部８３は、略平板状に形成され、ギヤケース部５２の底壁部５３から上方に突出するボス５３ｂ、５３ｂにねじ９５、９５によって固定される。センサー支持部８４は、大径ギヤ６７より小さい径の略円板状に形成され、中央にポテンショメーター８５が取り付けられている。センサー支持部８４は、ギヤケース部５２内において、大径ギヤ６７の上方に重なるように配置されている。センサー支持部８４の形状は、例えば、四角形状など、円板状以外の形状でもよいが、大径ギヤ６７の上方に重なるように配置されたときに中間ギヤ体６３のウォームギヤ部６６と重ならないように、大径ギヤ６７より小さく形成する。
【００４０】
また、センサー支持部８４は、ウォームギヤ部６６側の縁部に切り欠き部８４ａが設けられている。本実施形態では、切り欠き部８４ａは、センサー支持部８４を円弧状に切り欠く形状を有している。このようにすることで、センサー支持部８４を、ウォームギヤ部６６からより遠ざけることができるので、通気孔７１ａを有する通気部７０をウォームギヤ部６６と対向する位置に容易に配置することができる。
【００４１】
ポテンショメーター８５は、回転角（回転角度）を検出するための回転角センサーである。ポテンショメーター８５は、円板状のローター８６と、ローター８６を回転可能に支持するとともに、ローター８６の回転角に応じた信号（電圧）を出力する信号出力部であるメーター本体部８７と、を有している。ローター８６の中央には、平面視Ｄ字状の嵌合孔が設けられており、嵌合孔にはポテンショ軸８１の嵌合軸部８１ａが貫通しかつ嵌合軸部８１ａとともにローター８６が回転されるように嵌め合わされる。ローター８６は、嵌合軸部８１ａの回転に伴って回転される。これにより、ポテンショメーター８５は、ポテンショ軸８１（すなわち、弁軸４０およびボール弁体２０）の軸線Ｌ周りの回転角を検出する。
【００４２】
流路切換弁１は、駆動部６０が有するモーター６１の駆動軸６１ａの回転力が大径ギヤ６７等を通じて弁軸４０に出力され、弁軸４０が軸線Ｌ周りに回転される。この弁軸４０の回転に伴ってボール弁体２０が軸線Ｌ周りに回転されて、各回転位置に位置づけられる。これにより、回転位置に応じた流路の接続が実現される。また、弁軸４０とともにポテンショ軸８１が軸線Ｌ周りに回転され、ポテンショ軸８１の回転角に応じた信号がポテンショメーター８５から出力される。ポテンショメーター８５から出力された信号に基づいて、ボール弁体２０の回転位置を監視することができる。
【００４３】
以上より、本実施形態の流路切換弁１によれば、ポテンショベース８２のセンサー支持部８４が、弁軸４０に取り付けられる大径ギヤ６７より小さい径の円板形状に形成されており、ポテンショメーター８５が取り付けられるとともに大径ギヤ６７と重ねて配置される。ギヤケース部５２の上壁部５４に設けられる通気部７０は、通気孔７１ａが設けられた平板部７１と、通気孔７１ａに連なり上方に延びる通気管７２と、通気管７２に被せられるキャップ形状のフィルタ部材７３と、を有している。そして、通気部７０の通気孔７１ａは、中間ギヤ体６３のウォームギヤ部６６に対向するように配置されている。このようにしたことから、大径ギヤ６７と噛み合う中間ギヤ体６３のウォームギヤ部６６が、ポテンショベース８２のセンサー支持部８４と重なることを回避することができる。そのため、センサー支持部８４を避けて通気孔７１ａを有する通気部７０をウォームギヤ部６６と対向するように配置することができるので、流路切換弁１の高さ方向の大きさを効果的に小さくすることができる。また、ウォームギヤ部６６の回転により通気孔７１ａの近傍で空気が流動されるので、ギヤケース部５２の内外での空気の流通性を効果的に高めることができる。
【００４４】
上記に本発明の実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の趣旨に反しない限り、本発明の範囲に含まれる。
【符号の説明】
【００４５】
１…流路切換弁、１０…弁本体、１０ａ…左側壁部、１０ｂ…正面壁部、１０ｃ…右側壁部、１１…第１流路、１２…第２流路、１３…第３流路、１１ａ、１２ａ、１３ａ…開口、１４…弁室、２０…ボール弁体、２１…第１開口、２２…第２開口、２３…第３開口、２４…弁軸挿入孔、２５…切換流路、３０…シート部材、３０ａ…環状溝、３１…封止部材、４０…弁軸、４１…円柱部、４１ａ…端面、４２…角柱部、４４…Ｏリング、４５…取付穴、５０…ケース、５１…モーターケース部、５２…ギヤケース部、５３…底壁部、５４…上壁部、５５…周壁部、５６…軸受部、５７…内側周壁部、５８…凹部、５９…凸部、６０…駆動部、６１…モーター、６１ａ…駆動軸、６２…ウォームギヤ、６３…中間ギヤ体、６４…軸部、６４ａ…一端部、６４ｂ…他端部、６５…小径ギヤ部、６６…ウォームギヤ部、６７…大径ギヤ、７０…通気部、７１…平板部、７１ａ…通気孔、７２…通気管、７３…フィルタ部材、８０…回転位置検出部、８１…ポテンショ軸、８１ａ…嵌合軸部、８２…ポテンショベース、８３…ベース本体部、８４…センサー支持部、８５…ポテンショメーター、８６…ローター、８７…メーター本体部、９５…ねじ
【図１】
2020067158.tif 000003
【図２】
2020067158.tif 000004
【図３】
2020067158.tif 000005
【図４】
2020067158.tif 000006
【図５】
2020067158.tif 000007
【図６】
2020067158.tif 000008